(57)【要約】【課題】便器用の横枝管と風呂等の横枝管とを接続させるための排水集合管等の配管部材として、便器排水が他の横枝管へ逆流することがないようにでき、しかもこれらの配管に要する配管スペースをコンパクトに収めることができるようにする。【解決手段】横向きとされた複数の管継ぎ手部６，７が設けられた管本体２を有し、このうちいずれかの管継ぎ手部６が便器１０６接続用とされており、この便器１０６接続用の管継ぎ手部６と他の管継ぎ手部７とが管本体２に対して平面交差する方向へ突出して設けられているものとした。一方の管継ぎ手部７はエルボ８を介して管本体２に設けられている。【選択図】　　　図１
2004084394.tif 000002
【特許請求の範囲】
【請求項１】
横向きとされた複数の管継ぎ手部（６，７）が設けられた管本体（２）を有し、このうちいずれかの管継ぎ手部（６）が便器（１０６）接続用とされており、この便器（１０６）接続用の管継ぎ手部（６）と他の管継ぎ手部（７）とが管本体（２）に対して平面交差する方向へ突出して設けられていることを特徴とする便器接続用の配管部材。
【請求項２】
前記便器（１０６）接続用の管継ぎ手部（６）又は他の管継ぎ手部（７）が管本体（２）に対してエルボ（８）を介して設けられており、このエルボ（８）の先の管継ぎ手部（７）に接続される横枝管（１０２）とエルボ無しの管継ぎ手部（６）で管本体（２）に接続される横枝管（１０１）とが相対逆向きで且つ互いの管軸を並行させるものであることを特徴とする請求項１記載の便器接続用の配管部材。
【請求項３】
前記管本体（２）とエルボ（８）とその先に設けられる管継ぎ手部（７）とが一体形成されていることを特徴とする請求項２記載の便器接続用の配管部材。
【請求項４】
前記エルボ（８）が前記管本体（２）に対して別体に形成されていることを特徴とする請求項２記載の便器接続用の配管部材。
【発明の詳細な説明】
【０００１】
【発明の属する技術分野】
本発明は、便器接続用の配管部材に関するものである。
【０００２】
【従来の技術】
集合住宅等の多層階建物で採用される排水管システムは、各階を縦方向に貫いて配管される立主管に対し、各階ごとに対応させて排水集合管が介設され、これらそれぞれの排水集合管を介して、各階用の横枝管が接続されるようになっている。
図５及び図６に示すように、この種の排水集合管１００には、複数本の横枝管１０１，１０２を接続可能とさせるために、横向きの管継ぎ手部１０３，１０４が複数設けられたものがある。
【０００３】
例えば、図５に示す排水集合管１００では、二つの管継ぎ手部１０３，１０４が背反する方向に（背合わせで）設けられることによって平面一文字状を呈したものとなっている。
従って当然に、各管継ぎ手部１０３，１０４に対してそれぞれ横枝管１０１，１０２を接続すると、これら横枝管１０１，１０２同士は接続向きが相対逆向きとなり、且つ互いの管軸は同軸又は並行した状態になる。
これに対し、図６に示す排水集合管１００では、二つの管継ぎ手部１０３，１０４が平面Ｌ字状を呈したものとなっている。
【０００４】
このようなＬ字タイプの排水集合管１００でも、上記した一文字タイプの排水集合管１００の場合と同様に各管継ぎ手部１０３，１０４に接続した横枝管１０１，１０２同士を相対逆向きで且つ並行状態となるように配管させるためには、一方の管継ぎ手部１０４に対して９０°のエルボ１０５を設けてから、このエルボ１０５の先に横枝管１０２を接続させることになる。
【０００５】
【発明が解決しようとする課題】
図５に示したような一文字タイプの排水集合管１００を用いて便器排水を排水させる場合、いずれか一方の管継ぎ手部（いま仮に符号１０３の方とおく）に接続する横枝管１０１を便器１０６へと繋げ、他方の管継ぎ手部（従って符号１０４の方である）に接続する横枝管１０２を例えば風呂１０７等へと繋げることになる。
しかし、このようにすると便器１０６側の横枝管１０１から管継ぎ手部１０３を介して排水集合管１００内に便器排水が流れ込んだ場合に、この便器排水が勢い余って排水集合管１００を通り越し、他方の管継ぎ手部１０４から風呂１０７等へと繋がっている横枝管１０２に逆流してしまうということがあった。
【０００６】
一方、図６に示したようなＬ字タイプの排水集合管１００とエルボ１０５とを用いて便器排水を排水させる場合では、いずれか一方の管継ぎ手部（いま仮に符号１０３の方とおく）に接続する横枝管１０１を便器１０６へと繋げ、他方の管継ぎ手部（従って符号１０４の方である）に設けたエルボ１０５を介して接続する横枝管１０２を、例えば風呂１０７等へと繋げることになる。
このようにすると、便器１０６側の横枝管１０１から管継ぎ手部１０３を介して一旦、排水集合管１００内に流れ込んだ排水が、他方の管継ぎ手部１０４からエルボ１０５を介して他方の横枝管１０２へと逆流するといったことはなく、上記のような便器排水の逆流対策として有効なものであった。
【０００７】
しかしながら、この配管形態ではエルボ１０５を取り付けている関係上、どうしても配管に要するスペース幅Ｗが広くなりすぎるということがあった。
すなわち、この配管形態では建物側に広いパイプスペースを必要とすることになる。
そのため、建物の有効床面積に対するロスが出る他、既存の建物（パイプスペース）ではこの配管形態を採用できないといった問題があった。
本発明は、上記事情に鑑みてなされたものであって、便器用の横枝管と風呂等の横枝管とを接続させるための排水集合管等の配管部材として、便器排水が他の横枝管へ逆流することがないようにでき、しかもこれらの配管に要する配管スペースをコンパクトに収めることができるようにした便器接続用の配管部材を提供することを目的とする。
【０００８】
【課題を解決するための手段】
前記目的を達成するために、本発明は次の手段を講じた。
即ち、本発明に係る便器接続用の配管部材１は、横向きとされた複数の管継ぎ手部６，７が設けられた管本体２を有したものであって、このうちいずれかの管継ぎ手部（例えば符号６の方とおく）が便器１０６接続用とされている。
そして、この便器１０６接続用の管継ぎ手部６と他の管継ぎ手部（ここでは符号７の方に相当）とが、管本体２に対して平面交差する方向へ突出して設けられたものとなっている。
【０００９】
このように、便器１０６接続用の管継ぎ手部６と他の管継ぎ手部７とが管本体２に対して平面交差する方向へ突出して設けられていることで、便器１０６側の横枝管１０１から管本体２内に流れ込んだ便器排水が、他方の管継ぎ手部７から横枝管１０２へと逆流するといったことは防止できる。
ここにおいて、便器１０６接続用ではない方の管継ぎ手部７が管本体２に対してエルボ８を介して設けられたものとすればよい。
このようにすることで、エルボ８の先の管継ぎ手部７に接続される横枝管１０２と、エルボ無しの管継ぎ手部６で管本体２に接続される横枝管１０１とを、相対逆向きで且つ互いの管軸が並行したものとして配管させることができる。
【００１０】
なお、場合によっては、エルボ８の先の管継ぎ手部７を便器１０６接続用として使用することもできる。
このようなエルボ８は、その先に設けられる管継ぎ手部７と共に管本体２と一体形成することができる。
また、前記エルボ８を前記管本体２に対して別体に形成し、フランジ結合等で一体化するものであっても良い。
これにより、この配管部材１の全体としてコンパクト化でき、配管スペースもコンパクトに収めることができる。また配管作業としてエルボ８の接続作業が省略され、容易となる。
【００１１】
【発明の実施の形態】
以下、本発明の実施の形態を、図面に基づき説明する。
図１及び図２は、本発明に係る配管部材１の第１実施形態を示している。
この配管部材１は、例えば、集合住宅等の多層階建物に対し、各階を縦方向に貫いて立主管（図示略）が配管される場合に、この立主管に対して各階に対応した部分で介設される。
そのため、この配管部材１において核を成している管本体２に対し、その上端部及び下端部に立主管用縦管と接続するための上部継ぎ手部３及び下部継ぎ手部４が設けられている。
【００１２】
なお、図例の上部継ぎ手部３は受け口（ソケット又はメカニカル）タイプとしてあり、下部継ぎ手部４は差し口（ストレート管）タイプとしてあるが、これらはフランジ継ぎ手タイプ等の他のタイプとしてもよい。
この管本体２の側面部には、複数（図例では二つ）の横継ぎ手部６，７が設けられている。
図例の管継ぎ手部６，７はいずれも受け口（ソケット又はメカニカル）タイプとしてあるが、フランジ継ぎ手タイプや差し口（ストレート管）タイプ等の他のタイプでもよい。
【００１３】
これら管継ぎ手部６，７は横向きであり、横枝管１０１，１０２を接続可能になっている。そして、このうち一方の横枝管１０１が便器１０６へと繋げられるものとなっている。
すなわち、この便器１０６へ繋げられる横枝管１０１を接続する方の管継ぎ手部６は、便器１０６接続用とされている。
この便器１０６接続用とされる管継ぎ手部６は、管本体２に対してその正面側（図１上方）で突出するように位置付けられている。
【００１４】
これに対し、他の管継ぎ手部７は、管本体２から突出するエルボ８を介してその先に設けられたものとなっており、このエルボ８が管本体２から突出する管軸向きが、便器１０６接続用の管継ぎ手部６の管軸と平面交差する関係となっている。
本第１実施形態においてエルボ８は、管本体２に対して９０°後方（図１下方）に曲げられたものとしてある。
このようなことから、このエルボ８の先に設けられた管継ぎ手部７に横枝管１０２を接続し、またエルボ無しである管継ぎ手部６に対して横枝管１０１を接続すれば、これら横枝管１０１，１０２は、相対逆向きで且つ互いの管軸を並行させる状態になる。
【００１５】
エルボ８の先に設けられた管継ぎ手部７を介して接続される横枝管１０２は、例えば風呂１０７等へと繋げられる。
なお、管本体２とエルボ８、更にはこのエルボ８の先に設けられる管継ぎ手部７とは、互いに一体形成されている。
従って本第１実施形態における配管部材１は、配管に要するスペース幅Ｗがコンパクトに収まることになる。
なおまた、本第１実施形態の管本体２では、排水を効率よく立主管（図示略）へ流下させるための旋回羽根１２（なお図２ではこの旋回羽根１２を設けたことにより外周面に現れた成型凹部１３として示してある）が設けられているものとした。
【００１６】
このような構成の配管部材１において、上記したように管本体２の正面側にエルボ無しで設けられた管継ぎ手部６（便器１０６接続用のもの）に接続する横枝管１０１を便器１０６へと繋げ、また管本体２からエルボ８を介して設けられた管継ぎ手部７に接続する横枝管１０２を例えば風呂１０７等へと繋げる。
この場合にあって、便器排水が横枝管１０１から管本体２内に一旦、流れ込んだ後、エルボ８を介して他方の管継ぎ手部７から横枝管１０２へと逆流するといったことは防止できる。
【００１７】
図３は、本発明に係る配管部材１の第２実施形態を示している。
この第２実施形態の配管部材１が上記第１実施形態と異なるところは、管本体２においてエルボ８が設けられた位置とは対称位置となる部分に、更に別の管継ぎ手部１５が設けられている点にある。
この管継ぎ手部１５はエルボを介しておらず、管本体２に対して直管状に突出したものとなっている。
そのため、この管継ぎ手部１５に接続する横枝管１１１は、例えば洗濯機１１０等へと繋げるようにするのが好ましい。
【００１８】
なぜなら、この管継ぎ手部１５に接続する横枝管１１１を仮に便器１０６へ繋げるようなことをすると、この横枝管１１１から管本体２内へ流れ込んだ便器排水が、そのまま対称配置となるエルボ８を介してその先の管継ぎ手部７へと逆流してしまうためである。
すなわち、この第２実施形態の配管部材１においても、便器１０６接続用とすることができるのは管継ぎ手部６，７のいずれか一方である。
その他の構成、構造及び作用効果等は第１実施形態の場合と略同様であるので、ここでの詳説は省略する。
【００１９】
図４は、本発明に係る配管部材１の第３実施形態を示している。
この第３実施形態の配管部材１では、上記した第２実施形態で追加された管継ぎ手部１５が、更に管本体２に対してエルボ１６を介して設けられたものである。
そのため、この第３実施形態の配管部材１では、管継ぎ手部６，７，１５のうち、いずれのものも便器１０６接続用として選択できるものである。
その他の構成、構造及び作用効果等は第１実施形態や第２実施形態の場合と略同様であるので、ここでの詳説は省略する。
【００２０】
ところで、本発明は、上記した各実施形態に限定されるものではなく、実施の形態に応じて適宜変更可能である。
例えば、この配管部材１の形成材料、管継ぎ手部６，７の配置数や配置、その管径サイズ等は何ら限定されるものではない。
また、この配管部材１は、多層階建物において使用されることが限定されるものではない。
更に、エルボ８は管本体２と一体成形されたものに限らず、別体とされ、エルボ８と管本体２とを、例えば図１のＢ部において、直接フランジ結合などによって、一体化したものであっても良い。
【００２１】
【発明の効果】
以上の説明から明らかなように、本発明に係る便器接続用の配管部材は、便器用の横枝管と風呂等の横枝管とを接続させるための排水集合管等の配管部材として、便器排水が他の横枝管へ逆流することがないようにでき、しかもこれらの配管に要する配管スペースをコンパクトに収めることができる。
【図面の簡単な説明】
【図１】本発明に係る配管部材の第１実施形態を用いた配管形態を示した平面図である。
【図２】図１のＡ−Ａ線矢視図（立背面図）である。
【図３】本発明に係る配管部材の第２実施形態を用いた配管形態を示した平面図である。
【図４】本発明に係る配管部材の第３実施形態を用いた配管形態を示した平面図である。
【図５】従来における一文字タイプの排水集合管を用いた配管形態を示した平面図である。
【図６】従来におけるＬ字タイプの排水集合管を用いた配管形態を示した平面図である。
【符号の説明】
１　　配管部材
２　　管本体
６　　管継ぎ手部
７　　管継ぎ手部
８　　エルボ
１０２　　横枝管
１０１　　横枝管
１０６　　便器
【図１】
2004084394.tif 000003
【図２】
2004084394.tif 000004
【図３】
2004084394.tif 000005
【図４】
2004084394.tif 000006
【図５】
2004084394.tif 000007
【図６】
2004084394.tif 000008